【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
ビデオコーディングにおいてビデオデータを変換する方法であって、
ビデオデータ値のブロックを変換するために２次元変換の第１のステージを、ビデオコーディングデバイスによって、決定することと、ここにおいて、前記第１のステージは、水平方向性または垂直方向性を有する、
前記２次元変換の第２のステージを、前記ビデオコーディングデバイスによって、決定することと、ここにおいて、前記第２のステージは、前記第１のステージが水平方向性を有する場合、垂直方向性を有し、前記第２のステージは、前記第１のステージが垂直方向性を有する場合、水平方向性を有する、
第１のステージの結果を生成するために、ビデオデータ値の前記ブロックに前記２次元変換の前記第１のステージを、前記ビデオコーディングデバイスによって、適用することと、
前記第１のステージと前記第２のステージとの間で前記第１のステージの結果を並べ替えることおよびバッファすることなしに、前記第１のステージの結果を前記第２のステージに直接、前記ビデオコーディングデバイスによって、転送することと、
第２のステージの結果のブロックを生成するために、前記転送された第１のステージの結果に前記２次元変換の前記第２のステージを、前記ビデオコーディングデバイスによって、適用することと、
を備える方法。
【請求項２】
前記第１のステージを適用することの前に、バッファに前記ブロックのすべてのビデオデータ値を記憶すること、をさらに備え、
前記第１のステージを適用することは、前記第２のステージの前記方向性に基づいて前記第１のステージを適用することを備え、
前記第１のステージの結果を転送することは、前記第２のステージの前記方向性において前記第１のステージの結果を前記第２のステージに直接転送することを備える、
請求項１に記載の方法。
【請求項３】
前記第１のステージを適用することは、前記第１のステージの結果を生成するために前記第１のステージの前記方向性に基づいて前記第１のステージを適用することを備え、
前記第１のステージの結果を転送することは、前記第１のステージの前記方向性において前記第１のステージの結果を前記第２のステージに直接転送することを備え、
前記第２のステージを適用することは、複数の部分的な第２のステージの結果を生成するために、前記第２のステージの前記方向性に基づいて前記第１のステージの結果に前記第２のステージを適用すること、および第２のステージの結果の前記ブロックを生成するために、前記複数の部分的な第２のステージの結果をアグリゲートすることを備える、
請求項１に記載の方法。
【請求項４】
循環先入れ先出し部分結果バッファに、前記複数の部分的な第２のステージの結果を記憶することをさらに備える、請求項３に記載の方法。
【請求項５】
前記２次元変換は、第２のステージの結果の前記ブロックが変換係数のブロックを備えるような順変換を備える、請求項１に記載の方法。
【請求項６】
前記２次元変換は、第２のステージの結果の前記ブロックが再構成された残差値のブロックを備えるような逆変換を備える、請求項１に記載の方法。
【請求項７】
ビデオコーディングにおいてビデオデータを変換するための装置であって、
ビデオデータ値のブロックを記憶するように構成されたメモリと、
ビデオデータ値の前記ブロックを変換するために２次元変換の第１のステージを決定することと、ここにおいて、前記第１のステージは、水平方向性または垂直方向性を有する、
前記２次元変換の第２のステージを決定することと、ここにおいて、前記第２のステージは、前記第１のステージが水平方向性を有する場合、垂直方向性を有し、前記第２のステージは、前記第１のステージが垂直方向性を有する場合、水平方向性を有する、
第１のステージの結果を生成するために、ビデオデータ値の前記ブロックに前記２次元変換の前記第１のステージを適用することと、
前記第１のステージと前記第２のステージとの間で前記第１のステージの結果を並べ替えることおよびバッファすることなしに、前記第１のステージの結果を前記第２のステージに直接転送することと、
第２のステージの結果のブロックを生成するために、前記転送された第１のステージの結果に前記２次元変換の前記第２のステージを適用することと、
を行うように構成された１つまたは複数のプロセッサと
を備える装置。
【請求項８】
前記１つまたは複数のプロセッサは、
前記第１のステージを適用することの前に、バッファに前記ブロックのすべてのビデオデータ値を記憶するようにさらに構成され、
前記第１のステージを適用するために、前記１つまたは複数のプロセッサは、前記第２のステージの前記方向性に基づいて前記第１のステージを適用するように構成され、
前記第１のステージの結果を転送するために、前記１つまたは複数のプロセッサは、前記第２のステージの前記方向性において前記第１のステージの結果を前記第２のステージに直接転送するように構成された、
請求項７に記載の装置。
【請求項９】
前記第１のステージを適用するために、前記１つまたは複数のプロセッサは、前記第１のステージの結果を生成するために前記第１のステージの前記方向性に基づいて前記第１のステージを適用するように構成され、
前記第１のステージの結果を転送するために、前記１つまたは複数のプロセッサは、前記第１のステージの前記方向性において前記第１のステージの結果を前記第２のステージに直接転送するように構成され、
前記第２のステージを適用するために、前記１つまたは複数のプロセッサは、複数の部分的な第２のステージの結果を生成するために、前記第２のステージの前記方向性に基づいて前記第１のステージの結果に前記第２のステージを適用すること、および第２のステージの結果の前記ブロックを生成するために、前記複数の部分的な第２のステージの結果をアグリゲートするように構成された、
請求項７に記載の装置。
【請求項１０】
前記１つまたは複数のプロセッサは、循環先入れ先出し部分結果バッファに、前記複数の部分的な第２のステージの結果を記憶するようにさらに構成された、請求項９に記載の装置。
【請求項１１】
前記２次元変換は、第２のステージの結果の前記ブロックが変換係数のブロックを備えるような順変換を備える、請求項７に記載の装置。
【請求項１２】
前記２次元変換は、第２のステージの結果の前記ブロックが再構成された残差値のブロックを備えるような逆変換を備える、請求項７に記載の装置。
【請求項１３】
ビデオコーディングにおいてビデオデータを変換するための装置であって、
ビデオデータ値のブロックを変換するために２次元変換の第１のステージを決定するための手段と、ここにおいて、前記第１のステージは、水平方向性または垂直方向性を有する、
前記２次元変換の第２のステージを決定するための手段と、ここにおいて、前記第２のステージは、前記第１のステージが水平方向性を有する場合、垂直方向性を有し、前記第２のステージは、前記第１のステージが垂直方向性を有する場合、水平方向性を有する、
第１のステージの結果を生成するために、ビデオデータ値の前記ブロックに前記２次元変換の前記第１のステージを適用するための手段と、
前記第１のステージと前記第２のステージとの間で前記第１のステージの結果を並べ替えることおよびバッファすることなしに、前記第１のステージの結果を前記第２のステージに直接転送するための手段と、
第２のステージの結果のブロックを生成するために、前記転送された第１のステージの結果に前記２次元変換の前記第２のステージを適用するための手段と、
を備える装置。
【請求項１４】
前記第１のステージを適用することの前に、バッファに前記ブロックのすべてのビデオデータ値を記憶するための手段をさらに備え、
前記第１のステージを適用するための前記手段は、前記第２のステージの前記方向性に基づいて前記第１のステージを適用するための手段を備え、
前記第１のステージの結果を転送するための前記手段は、前記第２のステージの前記方向性において前記第１のステージの結果を前記第２のステージに直接転送するための手段を備える、
請求項１３に記載の装置。
【請求項１５】
前記第１のステージを適用するための前記手段は、前記第１のステージの結果を生成するために前記第１のステージの前記方向性に基づいて前記第１のステージを適用するための手段を備え、
前記第１のステージの結果を転送するための前記手段は、前記第１のステージの前記方向性において前記第１のステージの結果を前記第２のステージに直接転送するための手段を備え、
前記第２のステージを適用するための前記手段は、複数の部分的な第２のステージの結果を生成するために、前記第２のステージの前記方向性に基づいて前記第１のステージの結果に前記第２のステージを適用するための手段、および第２のステージの結果の前記ブロックを生成するために、前記複数の部分的な第２のステージの結果をアグリゲートするための手段を備える、
請求項１３に記載の装置。
【請求項１６】
循環先入れ先出し部分結果バッファに、前記複数の部分的な第２のステージの結果を記憶するための手段をさらに備える、請求項１５に記載の装置。
【請求項１７】
前記２次元変換は、第２のステージの結果の前記ブロックが変換係数のブロックを備えるような順変換を備える、請求項１３に記載の装置。
【請求項１８】
前記２次元変換は、第２のステージの結果の前記ブロックが再構成された残差値のブロックを備えるような逆変換を備える、請求項１３に記載の装置。